(57)【要約】【課題】光学的な影響の小さい投光レンズの固定構造を有する同軸型ファイバヘッドを提供する。【解決手段】アウタケース２８に内包され、投光レンズ２７が外部から挿入可能な中空筒状のインナ部材２６が用いられる。投光レンズ２７は、自身の後端面２７ａと投光ファイバ２４の前端面２４ａとの対向面同士が当接するようにしてインナ部材２６の内側面に対して圧接状態で保持される。つまり、投光レンズ２７はインナ部材２６に対して圧入により保持可能で、投光レンズ２７の固定のための接着剤は不要である。【選択図】図１
2017102193.tif 000002
【特許請求の範囲】
【請求項１】
出射光を導光するための投光ファイバと、
前記投光ファイバを中心とした同心円上に複数本配置され、入射光を導光するための受光ファイバと、
前記投光ファイバの出射側に配置され、前記投光ファイバにて導光された光を平行光として形成する投光レンズと、
前記投光ファイバ、前記受光ファイバ及び前記投光レンズを内包するアウタケースと
を備える同軸型ファイバヘッドであって、
前記投光レンズは光軸方向において長い柱状にて構成され、その投光レンズが外部から挿入可能な中空筒状にて構成されて前記アウタケースに内包されるインナ部材を備え、
前記投光レンズと前記投光ファイバとの対向面同士が当接状態となるように前記投光レンズが前記インナ部材の内側面に対して圧接状態で保持されていることを特徴とする同軸型ファイバヘッド。
【請求項２】
前記インナ部材は、前記投光ファイバを保持する投光ファイバ保持部と、前記投光ファイバ保持部よりも径が大きく構成されて前記投光レンズを保持する投光レンズ保持部とを備え、
前記投光ファイバは、その前端面が前記投光レンズ保持部側に突出する位置にて前記投光ファイバ保持部に保持されていることを特徴とする請求項１に記載の同軸型ファイバヘッド。
【請求項３】
前記インナ部材は、前記投光レンズ及び前記投光ファイバと前記受光ファイバとの間に介在して光学的に遮蔽することを特徴とする請求項１または請求項２に記載の同軸型ファイバヘッド。
【請求項４】
前記インナ部材は、外側面周りに複数の受光ファイバ収容部を備え、
前記受光ファイバ収容部は、複数本の前記受光ファイバを収容可能に構成されていることを特徴とする請求項１から請求項３のいずれか一項に記載の同軸型ファイバヘッド。
【請求項５】
前記インナ部材は、外側面周りに径方向に突出して隣接間で前記受光ファイバ収容部を形成するための複数のガイド部を備え、
前記ガイド部は、外側面において前記アウタケースの内側面に圧接状態で当接する突起を有することを特徴とする請求項４に記載の同軸型ファイバヘッド。
【請求項６】
前記投光レンズは、外側面に断面三角形状で周方向環状をなす三角突起を有しその三角突起の内側面にて径方向外側に広がる光を取り込み前記投光レンズの外側に放出することで前記投光レンズの内部で平行光を形成するように構成されるものであり、
前記インナ部材は、前記投光レンズの前記三角突起から放出された光を吸収する材料にて構成されていることを特徴とする請求項１から請求項５のいずれか一項に記載の同軸型ファイバヘッド。
【請求項７】
前記投光レンズは、その前端面が前記受光ファイバの前端面よりも後方に位置するように前記インナ部材に対して保持されていることを特徴とする請求項１から請求項６のいずれか一項に記載の同軸型ファイバヘッド。
【請求項８】
前記受光ファイバは、前記インナ部材の受光ファイバ収容部と前記アウタケースとの間で囲まれた空間に保持されていることを特徴とする請求項１から請求項７のいずれか一項に記載の同軸型ファイバヘッド。
【請求項９】
請求項１から請求項８のいずれか一項に記載の同軸型ファイバヘッドを備えることを特徴とするファイバセンサ。
【請求項１０】
請求項１から請求項８のいずれか一項に記載の同軸型ファイバヘッドの製造方法であって、
前記投光レンズは、前記インナ部材の中空部内に圧入されて保持されることを特徴とする同軸型ファイバヘッドの製造方法。
【発明の詳細な説明】
【技術分野】
【０００１】
本発明は、同軸型ファイバヘッド、ファイバセンサ、及び同軸型ファイバヘッドの製造方法に関するものである。
【背景技術】
【０００２】
ファイバセンサは、投光素子を含む投光部及び受光素子を含む受光部を備えるセンサ本体と、センサ本体に対してファイバケーブルを介して接続されるファイバヘッドとを有してなる。ファイバヘッドは、検出対象へ光を出射する投光ファイバ（ファイバ素線）と、検出対象からの反射光が入射する受光ファイバ（ファイバ素線）とが組み込まれて構成されている。ファイバヘッドとしては、例えば投光ファイバを中心とした同心円上に受光ファイバを複数本配置した同軸型ファイバヘッドが知られている（特許文献１参照）。
【先行技術文献】
【特許文献】
【０００３】
【特許文献１】特開２０１４−１３７２９４号公報
【発明の概要】
【発明が解決しようとする課題】
【０００４】
ところで、上記ファイバヘッドの投光側に投光レンズを内蔵する構成とする場合、投光レンズの固定に接着剤を用いその接着剤が投光レンズの前端面（出射面）に付着してしまうと、投光レンズからの出射光に悪影響を与え、ファイバセンサの検出精度が低下するおそれがある。
【０００５】
本発明は、上記課題を解決するためになされたものであって、その目的は、光学的な影響の小さい投光レンズの固定構造を有する同軸型ファイバヘッド、及びその同軸型ファイバヘッドを備えるファイバセンサを提供することにある。また、接着剤を用いることなくレンズをファイバヘッドに固定することができる同軸型ファイバヘッドの製造方法を提供することにある。
【課題を解決するための手段】
【０００６】
上記課題を解決する同軸型ファイバヘッドは、出射光を導光するための投光ファイバと、前記投光ファイバを中心とした同心円上に複数本配置され、入射光を導光するための受光ファイバと、前記投光ファイバの出射側に配置され、前記投光ファイバにて導光された光を平行光として形成する投光レンズと、前記投光ファイバ、前記受光ファイバ及び前記投光レンズを内包するアウタケースとを備える同軸型ファイバヘッドであって、前記投光レンズは光軸方向において長い柱状にて構成され、その投光レンズが外部から挿入可能な中空筒状にて構成されて前記アウタケースに内包されるインナ部材を備え、前記投光レンズと前記投光ファイバとの対向面同士が当接状態となるように前記投光レンズが前記インナ部材の内側面に対して圧接状態で保持されている。
【０００７】
この構成によれば、アウタケースに内包され、投光レンズが外部から挿入可能な中空筒状のインナ部材が用いられる。そして、投光レンズは、投光ファイバとの対向面同士が当接するようにしてインナ部材の内側面に対して圧接状態で保持される。つまり、投光レンズはインナ部材に対して圧入により保持可能なため、投光レンズの固定のための接着剤は不要となり、投光レンズ周りの光学的な影響を小さく抑えることができる。
【０００８】
また、上記同軸型ファイバヘッドにおいて、前記インナ部材は、前記投光ファイバを保持する投光ファイバ保持部と、前記投光ファイバ保持部よりも径が大きく構成されて前記投光レンズを保持する投光レンズ保持部とを備え、前記投光ファイバは、その前端面が前記投光レンズ保持部側に突出する位置にて前記投光ファイバ保持部に保持されていることが好ましい。
【０００９】
この構成によれば、投光ファイバの前端面は投光レンズ保持部まで突出した位置にあるため、投光レンズが投光ファイバ保持部の段差に到達する前に投光レンズと投光ファイバとの対向面同士を確実に当接させて取り付けることができる。これにより、投光レンズと投光ファイバとの間における光伝搬のロスを抑制することができる。
【００１０】
また、上記同軸型ファイバヘッドにおいて、前記インナ部材は、前記投光レンズと前記受光ファイバとの間に介在して光学的に遮蔽することが好ましい。
この構成によれば、インナ部材は、投光レンズ及び投光ファイバと受光ファイバとの間に介在して光学的に遮蔽するため、投光側と受光側との直接的な光の影響が小さくなる。これにより、ファイバセンサの検出精度の向上を図ることができる。
【００１１】
また、上記同軸型ファイバヘッドにおいて、前記インナ部材は、外側面周りに複数の受光ファイバ収容部を備え、前記受光ファイバ収容部は、複数本の前記受光ファイバを収容可能に構成されていることが好ましい。
【００１２】
この構成によれば、インナ部材の外側面周りに設けた複数の受光ファイバ収容部は、それぞれ複数本の受光ファイバをまとめて収容することができるため、同軸型ファイバヘッドの組立性の向上を図ることができる。また、１つのインナ部材で投光レンズ等の保持に加えて受光ファイバの収容も可能なため、ファイバヘッドの部品点数の低減を図ることもできる。
【００１３】
また、上記同軸型ファイバヘッドにおいて、前記インナ部材は、外側面周りに径方向に突出して隣接間で前記受光ファイバ収容部を形成するための複数のガイド部を備え、前記ガイド部は、外側面において前記アウタケースの内側面に圧接状態で当接する突起を有することが好ましい。
【００１４】
この構成によれば、インナ部材の外側面周りに設けた複数のガイド部は、アウタケースの内側面に圧接状態で当接する突起を有するため、接着剤を用いることなくインナ部材をアウタケース内に圧入固定することができる。
【００１５】
また、上記同軸型ファイバヘッドにおいて、前記投光レンズは、外側面に断面三角形状で周方向環状をなす三角突起を有しその三角突起の内側面にて径方向外側に広がる光を取り込み前記投光レンズの外側に放出することで前記投光レンズの内部で平行光を形成するように構成されるものであり、前記インナ部材は、前記投光レンズの前記三角突起から放出された光を吸収する材料にて構成されていることが好ましい。
【００１６】
この構成によれば、投光レンズは、三角突起の内側面にて径方向外側に広がる光（外輪光となる光）を取り込み投光レンズの外側に放出することで投光レンズの内部で平行光を形成し、インナ部材は、投光レンズの三角突起から放出された光を吸収する。つまり、投光レンズとインナ部材とで安定した平行光の形成が可能である。
【００１７】
また、上記同軸型ファイバヘッドにおいて、前記投光レンズは、その前端面が前記受光ファイバの入射面よりも後方に位置するように前記インナ部材に対して保持されていることが好ましい。
【００１８】
この構成によれば、投光レンズの前端面（出射面）は受光ファイバの前端面（入射面）よりも後方に位置しているため、投光レンズからの出射光が受光ファイバに直接入射することが抑制される。これにより、ファイバセンサの検出精度の向上を図ることができる。
【００１９】
また、上記同軸型ファイバヘッドにおいて、前記受光ファイバは、前記インナ部材の受光ファイバ収容部と前記アウタケースとの間で囲まれた空間に保持されていることが好ましい。
【００２０】
この構成によれば、受光ファイバは、インナ部材の受光ファイバ収容部とアウタケースとの間で囲まれた空間、すなわちインナ部材とアウタケースとで協同して形成される空間で保持される。つまり、インナ部材における受光ファイバ収容部の径方向外側部分を開放形状とすることができてその壁部分を省略できることから、ファイバヘッドの小型化を図ることができる。
【００２１】
また、上記課題を解決するファイバセンサは、上記同軸型ファイバヘッドを備える。
この構成によれば、投光レンズを光学的な影響の小さい態様にてファイバヘッドに固定可能なファイバセンサとして提供することができる。
【００２２】
また、上記課題を解決する同軸型ファイバヘッドの製造方法は、前記投光レンズは、前記インナ部材の中空部内に圧入されて保持される。
この方法によれば、投光レンズをインナ部材に圧入するため、接着剤を用いることなく投光レンズをファイバヘッドに固定、すなわち投光レンズを光学的な影響の小さい態様にて固定することができる。
【発明の効果】
【００２３】
本発明の同軸型ファイバヘッド、ファイバセンサ、及び同軸型ファイバヘッドの製造方法によれば、投光レンズを光学的な影響の小さい態様にて固定することができる。
【図面の簡単な説明】
【００２４】
【図１】（ａ）は一実施形態のファイバヘッドの正面図、（ｂ）はその縦断面図。
【図２】（ａ）はファイバヘッドの背面図、（ｂ）はその平面図、（ｃ）はその右側面図、（ｄ）はその底面図。
【図３】（ａ）はファイバヘッドの正面斜め上方側から見た斜視図、（ｂ）はその背面斜め下方側から見た斜視図。
【図４】（ａ）はファイバヘッドの正面斜め上方側から見た分解斜視図、（ｂ）はその背面斜め下方側から見た分解斜視図。
【発明を実施するための形態】
【００２５】
以下、同軸型ファイバヘッドを備えたファイバセンサの一実施形態について説明する。
図１〜図３に示すように、ファイバセンサは、センサ本体１０と、センサ本体１０に取り付けられる同軸型ファイバヘッド２０とを備える。ファイバヘッド２０は、投光用ファイバケーブル２１ａと受光用ファイバケーブル２１ｂとヘッド本体２３とを備え、ヘッド本体２３とセンサ本体１０とはファイバケーブル２１ａ，２１ｂによって接続される。ちなみに、ファイバヘッド２０は、ヘッド本体２３の外径は３ｍｍ程度で、ヘッド本体２３とファイバケーブル２１ａ，２１ｂとを含んで全長２０００ｍｍ程度で構成される。以下、ファイバヘッド２０において、ヘッド本体２３側を前側、センサ本体１０との接続側を後側とする。
【００２６】
投光用ファイバケーブル２１ａは本実施形態では単芯のものが用いられ、内部にはファイバ素線である投光ファイバ２４が１本収容されている。投光ファイバ２４の後端部は、センサ本体１０の投光部（投光素子を含む）１１に光学的に接続されている。一方、投光ファイバ２４の前端部は、ヘッド本体２３内にてファイバケーブル２１ａの被覆部２１ｘから露出されており、後述する円筒型のインナ部材２６の後側内周面で保持されている。また、投光ファイバ２４の前端面２４ａは、インナ部材２６内の前側に保持される後述の投光レンズ２７の後端面２７ａに当接して光学的に接続されている。投光用ファイバケーブル２１ａの途中には、ファイバヘッド２０の型式等を表示するための表示部２２が取り付けられている。
【００２７】
受光用ファイバケーブル２１ｂは本実施形態では多芯のものが用いられ、内部には投光ファイバ２４よりも径の小さいファイバ素線である受光ファイバ２５が例えば９本収容されている。受光ファイバ２５の後端部は、センサ本体１０の受光部（受光素子を含む）１２に光学的に接続されている。一方、受光ファイバ２５の前端部は、ヘッド本体２３内にてファイバケーブル２１ｂの被覆部２１ｙから露出されており、複数本の受光ファイバ２５がインナ部材２６の外周面とアウタケース２８の内周面との間の空間に収容されている。受光ファイバ２５は、インナ部材２６の内側の投光ファイバ２４に対し同心円上に配置（同軸配置）されている。
【００２８】
図４（ａ）（ｂ）に示すように、ヘッド本体２３は、円筒状のインナ部材２６と、投光ファイバ２４の前端面２４ａからの出射光を平行光に収束させる投光レンズ２７と、ヘッド本体２３のケース部材としてのアウタケース２８とを備える。
【００２９】
インナ部材２６は、略円筒形状をなして軸方向に長く形成され、自身の軸がヘッド本体２３の前後方向に向けられている。インナ部材２６は、例えば樹脂製で、遮光・光吸収性を有する。インナ部材２６の後側内周部には投光ファイバ保持部２６ａが、前側には投光ファイバ保持部２６ａよりも径の大きい投光レンズ保持部２６ｂがそれぞれ設けられている。そして、各保持部２６ａ，２６ｂによって、前側には投光レンズ２７、後側には投光ファイバ２４の前端部がそれぞれ保持（固定）されている。本実施形態では、投光レンズ２７は圧入保持、投光ファイバ２４は接着保持がなされている。
【００３０】
また、投光ファイバ２４の保持態様は、自身の前端面２４ａが投光レンズ保持部２６ｂ側に若干突出した位置となる保持態様となっている。つまり、投光レンズ保持部２６ｂに圧入される投光レンズ２７の後端面２７ａが投光ファイバ保持部２６ａの段差に到達する前に投光ファイバ２４の前端面２４ａに対して確実に当接できるようにしている。
【００３１】
インナ部材２６の外周面には、径方向外側へ突出するとともに前側から中央部分にかけて延びる３つのガイド部２６ｃが形成されている。各ガイド部２６ｃは、周方向等間隔に配置され、ファイバヘッド２０を前方から見たとき扇形をなしている。各ガイド部２６ｃの外周面の前寄りには、インナ部材２６をアウタケース２８の内周面に圧入固定する際に用いられる圧入突起２６ｄがそれぞれ形成されている。
【００３２】
また、周方向に隣接のガイド部２６ｃ間は、凹形状の受光ファイバ収容部２６ｅとなっており、３つの受光ファイバ収容部２６ｅが周方向に並んで形成されている。各受光ファイバ収容部２６ｅの径方向外側の開口は、それぞれアウタケース２８にて閉塞されて受光ファイバ２５を収容する収容空間となる。本実施形態の受光ファイバ収容部２６ｅは、個々の収容部２６ｅ毎にそれぞれ３本の受光ファイバ２５が収容可能である。つまり、図１（ａ）に示すように、投光ファイバ２４を中心とした同心円上で３本ずつまとめられた受光ファイバ２５とガイド部２６ｃとが交互に配置されている。
【００３３】
投光レンズ２７は、前後方向（光軸方向）に長尺状をなす円柱型のレンズで、インナ部材２６の投光レンズ保持部２６ｂに保持されている。投光レンズ２７の前後方向の長さは投光レンズ保持部２６ｂの前後方向の長さよりも若干短く、投光レンズ２７全体を投光レンズ保持部２６ｂの前後方向内に収容することが可能である。投光レンズ２７の前寄りの外周面には、投光レンズ２７をインナ部材２６の投光レンズ保持部２６ｂに圧入固定する際に用いられる圧入突起２７ｂ（図４参照）が周方向等間隔に３つ形成されている。
【００３４】
投光レンズ２７の中央部の外周面には、断面三角形状で周方向環状をなす本実施形態では５つの三角突起２７ｃが形成されている。各三角突起２７ｃは、各頂点部が略同一直線上に位置し、インナ部材２６の内周面にそれぞれ近接する。また、各三角突起２７ｃにおいて、前側の辺の軸線に対するなす角は大きく、後側の辺の軸線に対するなす角は小さく設定され、各三角突起２７ｃ毎に適切な角度に設定されている。ここで、投光レンズ２７の前端面２７ｄから出射される光は、検出精度向上を図る上でも平行光が望ましい。そのため、本実施形態の投光レンズ２７は、各三角突起２７ｃ部分で径方向外側に広がる光を投光レンズ２７の外側に放出する構造としている。すなわち、各三角突起２７ｃの前側の辺の内側面は、投光レンズ２７の後端面２７ａから入射される光のうちで径方向外側に広がる光（外輪光となる光）を取り込んでインナ部材２６の内周面に放出し、その放出した光はインナ部材２６にて吸収されるようになっている。
【００３５】
アウタケース２８は、金属製の円筒型ケースで、投光ファイバ２４、投光レンズ２７、インナ部材２６及び受光ファイバ２５を内包している。アウタケース２８の内側は、後端側の一部で径が大きく設定されこの後端部分にてファイバケーブル２１ａ，２１ｂが被覆部２１ｘ，２１ｙも含めて収容され、それよりも前側では被覆部２１ｘ，２１ｙから露出された投光ファイバ２４と投光レンズ２７とが、さらにはインナ部材２６と投光レンズ２７とがそれぞれ収容されている。
【００３６】
アウタケース２８の外周面には、図示しないねじ山が刻設されている。このため、アウタケース２８は、取付具２９として例えばナットやワッシャを用い、ファイバヘッド２０（ヘッド本体２３）を任意の検出環境に取り付けることができる。
【００３７】
そして、このようなファイバヘッド２０を用いるファイバセンサでは、センサ本体１０の投光部１１から出射した光が投光ファイバ２４（ファイバケーブル２１ａ）にてヘッド本体２３まで導光されて投光レンズ２７の前端面（出射面）２７ｄから検出対象に向けて光が出射される。また、ヘッド本体２３の前端部にて露出している受光ファイバ２５の前端面（入射面）２５ａにて検出対象からの反射光が入射されると、受光ファイバ２５（ファイバケーブル２１ｂ）にてセンサ本体１０まで導光されて受光部１２にてその入射光が受光され、これに基づいて検出対象の検出が行われるようになっている。
【００３８】
次に、本実施形態のファイバヘッド２０の製造方法について説明する。なお、製造手法及び手順は一例である。また、図中では接着剤の図示を省略している。
まず、アウタケース２８内に投光ファイバ２４の挿通がなされ、その後に投光ファイバ２４の前端部がインナ部材２６に固定される。この場合、投光ファイバ２４の前端面２４ａ及びその付近を除く前側外周面に接着剤が塗布され、投光ファイバ２４の前端部がインナ部材２６の投光ファイバ保持部２６ａに挿通される。このとき、投光ファイバ２４の前端面２４ａが投光レンズ保持部２６ｂ側に若干突出する位置まで押し込まれ、治具等によって固定位置が決定される。そして、この状態で接着剤を硬化させることで、投光ファイバ２４はインナ部材２６に固定される。なお、投光用ファイバケーブル２１ａへの表示部２２の取り付けはいつでも可能である。
【００３９】
次いで、アウタケース２８内に受光ファイバ２５の挿通がなされ、インナ部材２６の３つの受光ファイバ収容部２６ｅのそれぞれに３本ずつ受光ファイバ２５が配置される。このとき、受光ファイバ２５の前端部がインナ部材２６の前端面２６ｆよりも前方に突出するように受光ファイバ２５が配置される。
【００４０】
次いで、インナ部材２６の投光ファイバ保持部２６ａに投光ファイバ２４が固定され、受光ファイバ収容部２６ｅに受光ファイバ２５が収容された状態で、このインナ部材２６がアウタケース２８内に引き込まれる。インナ部材２６は、ガイド部２６ｃに形成した圧入突起２６ｄによってアウタケース２８の前側内周面に圧入固定される。
【００４１】
次いで、受光ファイバ２５が受光用ファイバケーブル２１ｂの被覆部２１ｙから露出する箇所（被覆部２１ｙも若干含む）から前方にかけて接着剤が塗布され、受光用ファイバケーブル２１ｂの被覆部２１ｙがアウタケース２８の後端部分に収容されるまで受光ファイバ２５（受光用ファイバケーブル２１ｂ）がアウタケース２８内に引き込まれる。そして、この状態で接着剤を硬化させることで、受光ファイバ２５はインナ部材２６とアウタケース２８との間に固定される。またこの場合、アウタケース２８の前側でインナ部材２６の前端面２６ｆから受光ファイバ２５が大きく突出するため、受光ファイバ２５の余剰分が切り落とされ、前端面２５ａが形成される。
【００４２】
そして、アウタケース２８（インナ部材２６）の前側から投光レンズ２７がインナ部材２６の投光レンズ保持部２６ｂ内に挿入され、圧入突起２７ｂによって圧入固定（圧接状態による保持）がなされる。このとき、投光レンズ２７の後端面２７ａと投光ファイバ２４の前端面２４ａとが当接するまで押し込まれる。また、投光レンズ２７は投光レンズ保持部２６ｂよりも前後方向に短いため、投光レンズ２７の前端面２７ｄは投光レンズ保持部２６ｂの開口縁よりも後方に位置し、受光ファイバ２５の前端面２５ａよりも後方に位置することとなる。つまり、投光レンズ２７は投光ファイバ２４の出射光の平行光を生成するが、これでも径方向外側に向けて漏れる光が生じるような場合でも、受光ファイバ２５に直接入光することが抑制されるようになっている。こうして、本実施形態のファイバヘッド２０が製造されている。
【００４３】
以下、本実施形態の特徴的な効果を記載する。
（１）アウタケース２８に内包され、投光レンズ２７が外部から挿入可能な中空筒状のインナ部材２６が用いられる。そして、投光レンズ２７は、自身の後端面２７ａと投光ファイバ２４の前端面２４ａとの対向面同士が当接するようにしてインナ部材２６の内側面に対して圧接状態で保持される。つまり、投光レンズ２７はインナ部材２６に対して圧入により保持可能なため、投光レンズ２７の固定のための接着剤は不要となり、投光レンズ２７周りの光学的な影響を小さく抑えることができる。
【００４４】
ちなみに、投光ファイバ２４を固定するための接着剤は投光レンズ２７の後端面２７ａより後方で離れた位置に塗布されているため、投光レンズ２７に接着剤が付着する可能性は小さい。また、受光ファイバ２５の固定にも接着剤が用いられるが、投光ファイバ２４と受光ファイバ２５とを隔てるようにしてインナ部材２６が配置されるため、受光ファイバ２５に塗布された接着剤が投光レンズ２７まで到達する可能性は小さい。また、投光レンズ２７を取り付ける工程は上記の接着剤を使用する工程よりも後であるから、接着剤が硬化したことを確認した後に取り付ければ、投光レンズ２７に接着剤が付着する可能性は小さい。
【００４５】
（２）投光ファイバ２４の前端面２４ａは投光レンズ保持部２６ｂまで突出した位置にあるため、投光レンズ２７が投光ファイバ保持部２６ａの段差に到達する前に投光レンズ２７の後端面２７ａと投光ファイバ２４の前端面２４ａとを確実に当接させて取り付けることができる。これにより、投光レンズ２７と投光ファイバ２４との間における光伝搬のロスを抑制することができる。
【００４６】
（３）インナ部材２６は、投光レンズ２７及び投光ファイバ２４と受光ファイバ２５との間に介在して光学的に遮蔽するため、投光側と受光側との直接的な光の影響が小さくなる。これにより、ファイバセンサの検出精度の向上を図ることができる。
【００４７】
（４）インナ部材２６の外周面周りに設けた複数の受光ファイバ収容部２６ｅは、それぞれ複数本の受光ファイバ２５をまとめて収容することができる。これにより、同軸型ファイバヘッド２０の組立性の向上を図ることができる。
【００４８】
（５）インナ部材２６の外周面周りに設けた複数のガイド部２６ｃは、アウタケース２８の内周面に圧接状態で当接する圧入突起２６ｄを有するため、接着剤を用いることなくインナ部材２６をアウタケース２８内に圧入固定することができる。また、ガイド部２６ｃは外周面に均等な間隔で設けられているため、インナ部材２６をアウタケース２８の中心に配置しやすく、投光レンズ２７や投光ファイバ２４を軸中心に配置することが容易となる。
【００４９】
（６）投光レンズ２７は、三角突起２７ｃの内側面にて径方向外側に広がる光（外輪光となる光）を取り込み投光レンズ２７の外側に放出することで投光レンズ２７の内部で平行光を形成し、インナ部材２６は、投光レンズ２７の三角突起２７ｃから放出された光を吸収する。つまり、投光レンズ２７とインナ部材２６とで安定した平行光を形成することができる。
【００５０】
（７）投光レンズ２７の前端面（出射面）２７ｄは受光ファイバ２５の前端面（入射面）２５ａよりも後方に位置しているため、投光レンズ２７からの出射光が受光ファイバ２５に直接入射することが抑制される。これにより、ファイバセンサの検出精度の向上を図ることができる。
【００５１】
（８）受光ファイバ２５は、インナ部材２６の受光ファイバ収容部２６ｅとアウタケース２８の内周面との間で囲まれた空間、すなわちインナ部材２６とアウタケース２８とで協同して形成される空間で保持される。つまり、インナ部材２６における受光ファイバ収容部２６ｅの径方向外側部分を開放形状とすることができてその壁部分を省略できることから、ファイバヘッド２０の小型化を図ることができる。
【００５２】
（９）１つのインナ部材２６で投光レンズ２７、投光ファイバ２４、受光ファイバ２５の保持が可能なため、ファイバヘッド２０の部品点数の低減につながる。
（１０）投光レンズ２７は、インナ部材２６の内周面に対する圧入固定を図るための圧入突起２７ｂを有するため、インナ部材２６の内周面との接触面積を小さくでき、圧入が容易である。また、圧入突起２７ｂがインナ部材２６の内周面に食い込むため、投光レンズ２７のより確実な固定が可能である。
【００５３】
なお、上記実施形態は、以下のように変更してもよい。
・上記実施形態では、１本の投光ファイバ２４を有する単芯の投光用ファイバケーブル２１ａ及び９本の受光ファイバ２５を有する多芯（９芯）の受光用ファイバケーブル２１ｂを用いたが、これ以外の本数のファイバケーブルを用いてもよい。
【００５４】
・上記実施形態では、インナ部材２６は樹脂製であったが、遮光・光吸収性を有する材料であれば他の材料、例えば金属製であってもよい。また、インナ部材２６を遮光・光吸収性を有しない材料で作製してもよい。この場合、インナ部材２６の周囲部材、例えば投光ファイバ２４や受光ファイバ２５、投光レンズ２７の外表面に遮光・光吸収性を備える膜等を付加したり、遮光・光吸収性を有する部材を必要箇所に別途設置するようにしてもよい。
【００５５】
・上記実施形態では、ファイバヘッド２０の型式等を表示するための表示部２２を投光用ファイバケーブル２１ａに取り付けていたが、省略してもよい。
・上記実施形態では、ファイバヘッド２０の取付具としてねじ構造の取付具２９を用いたが、他の取付態様としてもよい。
【００５６】
・上記実施形態では、インナ部材２６の内周面における投光ファイバ２４及び投光レンズ２７を保持する構造と、外周面における受光ファイバ２５を収容する構造とを一体としたが、一体的でなく個別に設けてもよい。
【００５７】
・上記実施形態では、インナ部材２６にガイド部２６ｃ及び受光ファイバ収容部２６ｅを３箇所形成したが、２箇所でもよいし、４箇所以上でもよい。また、受光ファイバ収容部２６ｅを径方向外側に開口する凹形状としたが、孔形状であってもよい。また、インナ部材２６に設けた受光ファイバ収容部２６ｅをアウタケース２８の内周面側に設けてもよい。
【００５８】
・上記実施形態では、インナ部材２６の受光ファイバ収容部２６ｅに３本の受光ファイバ２５を収容可能な構成としていたが、収容可能な本数は３本以外の複数本でもよく、また１本ずつでもよい。
【００５９】
・上記実施形態では、インナ部材２６（ガイド部２６ｃ）に３つの圧入突起２６ｄを設けたが、数はこれに限らず、また省略してもよい。
・上記実施形態では、投光レンズ２７に３つの圧入突起２７ｂを設けたが、数はこれに限らず、また省略してもよい。
【００６０】
・上記実施形態では、インナ部材２６及びアウタケース２８は円筒型であったが、他の形状であってもよい。
【符号の説明】
【００６１】
２０…ファイバヘッド、２４…投光ファイバ、２４ａ…前端面（対向面）、２５…受光ファイバ、２５ａ…前端面、２６…インナ部材、２６ａ…投光ファイバ保持部、２６ｂ…投光レンズ保持部、２６ｃ…ガイド部、２６ｄ…圧入突起（突起）、２６ｅ…受光ファイバ収容部、２７…投光レンズ、２７ａ…後端面（対向面）、２７ｄ…前端面、２７ｃ…三角突起、２８…アウタケース。
【図１】
2017102193.tif 000003
【図２】
2017102193.tif 000004
【図３】
2017102193.tif 000005
【図４】
2017102193.tif 000006